(57)【要約】      （修正有）【課題】燃料供給に伴う動作音をなくすために、ポンプを不要とする燃料電池搭載フラットパネルディスプレー装置を提供する。【解決手段】燃料電池搭載ＦＤＰ装置Ａは、燃料電池本体３と、燃料電池本体３を収容している置き台３１と、ＬＣＤ表示画面３７を有する表示部３７と、表示部３７と置き台３１とを接続するスタンド３３と、を有している。燃料タンク５を中空のスタンド３３内の上方に設け、燃料タンク５から燃料電池本体３に繋げられたメタノール燃料供給用のパイプ４５が設けられている。【選択図】図２Ａ
2006189555.tif 000002
【特許請求の範囲】
【請求項１】
燃料電池を駆動源とするフラットパネルディスプレー装置であって、
前記燃料電池が、燃料電池本体と、該燃料電池本体に供給する液体燃料を収容する燃料容器と、を有しており、該フラットパネルディスプレー装置に前記燃料電池を取り付けられた状態において、前記燃料電池本体よりも上方に燃料容器が設置されていることを特徴とするフラットパネルディスプレー装置。
【請求項２】
前記フラットパネルディスプレー装置が、置き台と、フラットパネルディスプレーと、前記置き台と前記フラットパネルディスプレーとを繋ぐスタンドと、を有しており、
前記燃料容器が、前記スタンドに内蔵されていることを特徴とする請求項１に記載のフラットパネルディスプレー装置。
【請求項３】
前記スタンドが中空構造を有しており、該中空構造を燃料収容部とすることを特徴とする請求項２に記載のフラットパネルディスプレー装置。
【請求項４】
さらに、前記燃料容器と前記燃料電池本体とを連通する燃料供給パイプを有しており、該燃料供給パイプを前記中空構造内に配設することを特徴とする請求項３に記載のフラットパネルディスプレー装置。
【請求項５】
前記燃料容器を複数設けるとともに前記スタンド内に複数の中空構造又は複数の燃料供給パイプを設け、前記中空構造又は前記燃料供給パイプのそれぞれを前記燃料容器に対して設けたことを特徴とする請求項３又は４に記載のフラットパネルディスプレー装置。
【請求項６】
それぞれの前記燃料容器から供給の燃料供給を選択的に切替可能な燃料供給切替部を有することを特徴とする請求項５に記載のフラットパネルディスプレー装置。
【請求項７】
前記スタンドの一部に燃料残量を確認するための透明窓を設けたことを特徴とする請求項２から６までのいずれか１項に記載のフラットパネルディスプレー装置。
【請求項８】
前記スタンドに、前記燃料容器と燃料電池とは異なる電池とを内蔵しており、前記燃料電池と前記燃料電池とは異なる電池とのうちのいずれか一方の電池による電力供給が停止している間は他方の電池により電力供給に切り替える電力供給切替部を有することを特徴とする請求項２から７までのいずれか１項に記載のフラットパネルディスプレー装置。
【請求項９】
前記フラットパネルディスプレー装置の傾きを検出する傾き検出器と、該傾き検出器において傾きを検出すると前記燃料電池本体への燃料供給をストップさせるストップ弁と、を有することを特徴とする請求項１から８までのいずれか１項に記載のフラットパネルディスプレー装置。
【請求項１０】
前記スタンドが、高さ可変の伸縮型スタンド構造を有しており、該伸縮型スタンド構造に基づく前記スタンドの高さに合わせて前記燃料供給パイプを伸縮可能にすることを特徴とする請求項４から９までのいずれか１項に記載のフラットパネルディスプレー装置。
【請求項１１】
前記スタンドに燃料の上端を確認可能位置に設けられた透明部を有することを特徴とする請求項３から１０までのいずれか１項に記載のフラットパネルディスプレー装置。
【請求項１２】
燃料電池本体部と該燃料電池本体部に燃料を供給する燃料タンクとを有する燃料電池により駆動される端末であって、
該端末内に、燃料電池本体部と、該燃料電池本体部から異なる少なくとも２方向にある距離だけ離されて配置される第１の燃料タンク及び第２の燃料タンクと、それぞれに対して前記燃料電池本体部から延びる第１及び第２の燃料供給パイプと、を有する端末。
【発明の詳細な説明】
【技術分野】
【０００１】
本発明は、燃料電池を利用した電子機器に関し、特に燃料電池を搭載したフラットパネルディスプレー装置に関する。
【背景技術】
【０００２】
近年、大画面かつ省スペース化が可能なフラットパネルディスプレー装置（以下、ＦＰＤと称する。）を備えた液晶テレビなどのＡＶ機器の市場が盛んになってきている。一方、新しい電力供給源として水素と酸素との反応に基づいてエネルギーを得る燃料電池が、クリーンな電源として期待されている。
【０００３】
ＦＰＤに燃料電池を搭載する技術に関しては、例えば特許文献１に記載されている。特許文献１に記載のＦＰＤでは、燃料電池本体が表示パネルの裏面に、燃料タンクが置き台内に、燃料電池本体に燃料を送るための燃料供給パイプが表示パネルと置き台との間の接続部に、それぞれ設けられており、燃料電池が目立たないという利点がある。
【特許文献１】特開２００３−３４５２６１号公報
【発明の開示】
【発明が解決しようとする課題】
【０００４】
燃料電池を電源として使用したＦＰＤにおいて、燃料電池に供給するメタノールは、通常は、ポンプを利用して燃料電池の水素極に供給される。特にある程度大きな発電量が要求される場合は、ポンプが必須となる。酸素はファン等により強制的に酸素極に供給される。
【０００５】
上記特許文献１に記載のＦＤＰでも、燃料電池本体に燃料を送るための燃料供給パイプを通して、置き台から表示パネル裏面まで燃料を供給するためのポンプが必要となり、構造が複雑となり形状が大きくなってしまうという問題がある。また、ＴＶ等の番組を視聴する場合に、静かな環境で視聴したいという要請があるが、燃料を燃料電池に供給するためのポンプの動作音が気になるという問題がある。
【０００６】
本発明は、燃料供給に伴う動作音をなくすために、ポンプを不要とする燃料電池搭載フラットパネルディスプレー装置を提供することを目的とする。
【課題を解決するための手段】
【０００７】
本発明の装置は、燃料容器の重心が燃料電池本体の重心よりも上方になるように設置することを特徴とする。これにより、液体燃料は、重力により燃料電池に供給される。ポンプは不要であり、構造的に簡単になる。燃料容器と燃料電池本体との間をパイプ・チューブ等で接続し、燃料を供給する。
【発明の効果】
【０００８】
燃料容器を燃料電池本体より上方に設置することで、重力を利用して燃料を本体に供給できるので、ある程度高い出力が要求される燃料電池でも、特にポンプを設ける必要が無く、構造が簡単になるとともに、ポンプ駆動に起因する騒音の発生を防ぐことが出来る。
【０００９】
また、燃料電池をスタンドに設けることで、スタンド上に設置されるＴＶ表示部を変更しても燃料電池部は共通に利用でき、設計の標準化を容易に進められる。
【発明を実施するための最良の形態】
【００１０】
以下、本発明の第１の実施の形態による燃料電池搭載フラットパネルディスプレー装置（以下、「燃料電池搭載ＦＤＰ装置」と称する。）について図面を参照しつつ説明を行う。図１は、本実施の形態による燃料電池搭載ＦＤＰ装置に用いられる燃料電池の一構成例を示す図である。図１に示すように、負荷である液晶ＴＶの電源部７に接続される燃料電池１は、電池本体部３と、メタノール燃料を蓄積しておく燃料タンク５と、を主要構成要素とする。電池本体部３は、一対の電極３ａ・３ｅと、その間に配置された水素拡散層３ｂと電解質層３ｃと酸素拡散層３ｄとを有している。水素拡散層３ｂ側の電極３ａには水素が、酸素拡散層３ｄ側の電極３ｅには酸素（大気）が供給される。一対の電極３ａ・３ｅ間に電位差が発生するため、これを負荷（ＦＤＰ装置）７に接続することで、ＦＤＰ装置７に対して電力を供給することができる。尚、図１には、任意に設けられる出力電流を測定する出力計１１と、メタノールの流量を測定する流量計１７と、燃料タンク５から電池本体部３への燃料供給をシャットするシャット弁１５と、傾き／衝撃検出機能であって、傾きや衝撃を検出するとシャット弁１５を遮断する制御を行う傾き／衝撃検出機能２１と、燃料の残量を計算し表示する残量計算／残量表示部２３と、を有している。図示しないが、燃料電池の電源から発生する電力は、ＦＤＰ装置の動作に使用される。
【００１１】
図２Ａは、本実施の形態による燃料電池搭載ＦＤＰ装置の一構成例を示す図である。図２Ａに示すように、本実施の形態による燃料電池搭載ＦＤＰ装置Ａは、図１に示す燃料電池本体３と、燃料電池本体３を収容している置き台３１と、ＬＣＤ表示画面３７を有する表示部３５と、表示部３５と置き台３１とを接続するスタンド３３と、を有している。本実施の形態による燃料電池搭載ＦＤＰ装置Ａにおいては、燃料タンク５を中空のスタンド３３内の上方に設け、燃料タンク５から燃料電池本体３に繋げられたメタノール燃料供給用のパイプ４５が設けられている。さらに、置き台３１の一面にはメタノールと反応させる酸素Ｏ２を大気中から取り入れる開口部４１が設けられており、この開口部４１からパイプ４０を通して図１に示す電極３ｅにＯ２を供給できるようになっている。
【００１２】
ここで、本質的なことは、燃料タンク５内に収容されるメタノールが電池本体部３に比べて鉛直方向に高い位置にあるように燃料タンク５を配置している点である。燃料タンク５にはシャット弁１５が設けられており、傾き／衝撃を検出したり燃料電池搭載ＦＤＰ装置Ａのメインの電源（図示せず）がオフしたりするとシャット弁１５が閉じ、メインの電源がオンすると弁１５が開するようになっている。
【００１３】
また、図２Ａに示すように、スタンド３３の一部と燃料タンク５との少なくとも一部を透明にして、メタノール残量を外部から見えるように残量確認用の窓部４６を設けても良い。このようにすれば、窓部からの目視によりメタノール残量を確認することができる。
【００１４】
さらに、置き台３１内に、燃料電池以外の電力源、例えば、二次電池や一次電池４３を内蔵させ、一方の電池の動作が停止すると電力供給源を他方の電池に切り替えるように制御しても良い。また、燃料電池のメタノール燃料を補給している間は、二次電池や一次電池４３により燃料電池搭載ＦＤＰ装置Ａを駆動させておくこともできる。
【００１５】
図２Ｂは、本実施の形態の第１変形例による燃料電池搭載ＦＤＰ装置における図２Ａとの相違点を示す図であり、スタンド部分３３とメタノール燃料供給用のパイプ４５とに関する要部を示す図である。図２Ｂに示すように、本発明の第１変形例による燃料電池搭載ＦＤＰ装置のスタンド３３は、第１スタンド部５ａとこの第１スタンド部５ａよりも径が大きい第２スタンド部５ｂとからなる。第１スタンド部５ａは第２スタンド部５ｂ内に形成されている空洞に進退可能に挿入されており、スタンド部３３の高さをある範囲で自由に変えることができる。さらに、パイプ４５は、長さが可変な構造、例えば折り畳み可能な状態になっており、スタンド３３の高さを変えると、それに応じてなパイプ４５の長さも変化するようになっている。図２Ｂ（Ａ）はスタンド３３の高さを低くした状態、図２Ｂ（Ｂ）はスタンド３３の高さを高くした状態を示している。この構造により、スタンドの高さを変更しても、タンクからのメタノール燃料を安定して燃料電池本体に供給することができる。
【００１６】
図２Ｃは、本発明の第２変形例による燃料電池搭載ＦＤＰ装置は、表示部３５の下部に横型スピーカ５５ｃが設けられている構造であり、その横型スピーカ５５ｃの内部又は裏面に燃料タンク６３ｃが設けられている。本発明の第２変形例による燃料電池搭載ＦＤＰ装置においては、横型スピーカの内部又は裏面に燃料タンクを設けたことにより、スペース効率を高めることができ、かつ、正面から見た場合の美観を損ねることがないという利点がある。
【００１７】
以上、本発明の第１の実施の形態による燃料電池搭載ＦＤＰ装置Ａによれば、燃料タンク５内のメタノール燃料の重心が常に燃料電池本体よりも鉛直方向上方に配置されているため、シャット弁１５が開いている状態においては、メタノール燃料の重力によりメタノール燃料が燃料電池本体にポンプなどの他の駆動源を必要とせずに供給されるようになっている。従って、ポンプが不要になり構造が簡単化されるとともに、ポンプ等の駆動源による騒音から解放されるようになる。  
【００１８】
尚、図２等においては、スタンドが１本の場合について説明したが、スタンドが複数本設けられている場合にパイプもその数に合わせて増やしても良い。以下の実施の形態においても同様である。
【００１９】
次に、本発明の第２の実施の形態による燃料電池搭載ＦＤＰ装置について図面を参照しつつ説明を行う。以下の実施の形態においては、燃料電池の構成は基本的には図１に示す構成と同様であることを前提とし、詳細な説明は省略する。
【００２０】
図３に示すように、本実施の形態による燃料電池搭載ＦＤＰ装置Ｂは、キャスター付きの置き台５７と、ＬＣＤ表示画面５３とスピーカ５５ａ、５５ｂと、を有する表示部５１と、表示部５１と置き台３１とを接続する円筒状のスタンド６１と、を有している。円筒状のスタンド６１の下部には燃料電池本体６７が円筒状のスタンド６１の外周を囲むように取り付けられている。一方、表示部５１の裏面側には、第１の燃料タンク６３ａと第２の燃料タンク６３ｂとが取り付けられている。それぞれの燃料タンク６３ａ・６３ｂには、図示しない燃料補充用の注入口が設けられている。第１の燃料タンク６３ａと第２の燃料タンク６３ｂと、燃料電池本体６７との間には、燃料供給用のパイプ６５ａ・６５ｂがそれぞれ設けられており、独立して燃料電池本体６７にエタノール燃料を供給することができるようになっている。第１の燃料タンク６３ａと第２の燃料タンク６３ｂと、を設けることにより、表示部５１の裏面にバランス良く燃料タンクを配置することができる。また、一方をリザーブ用の燃料タンクとして利用することもできる。この場合には、第１の燃料タンク６３ａと第２の燃料タンク６３ｂとのうち一方の燃料タンクからの燃料供給のみを許容し、他方を遮断するように制御する燃料供給切り替え部を有しても良い。
【００２１】
本実施の形態による燃料電池搭載ＦＤＰ装置においても、燃料タンク６３ａ・６３ｂ内に収容されている燃料の重心が、燃料電池本体６７の重心よりも鉛直方向下方になるように両者が配置されているため、燃料自体の自重によりメタノール燃料を燃料電池本体に供給する際に、燃料供給用のポンプを不要にし、或いはより小型化できる。さらに、燃料電池本体の一方を本タンクし他方をリザーブタンクとすることで、燃料切れの状態を防止し、使い勝手を良好にすることができる。
【００２２】
次に、本発明の第３の実施の形態による燃料電池搭載ＦＤＰ装置について図面を参照しつつ説明を行う。図４は、本実施の形態による燃料電池搭載ＦＤＰ装置Ｃの構成例を示す図である。図４に示すように、本実施の形態による燃料電池搭載ＦＤＰ装置Ｃは、表示画面７３を含む表示部７１の裏面に第１及び第２の燃料タンク８３ａ・８３ｂを設けるとともに、表示部７１の下方にコの字状の枠部分７５と、その下面に両側に設けられた板状の第１の底板７７ａと第２の底板７７ｂとを有している。コの字状の枠部分７５の下方の内面に燃料電池本体８７が取り付けられている。そして、第１及び第２の燃料タンク８３ａ・８３ｂのそれぞれから、燃料電池本体８７に対してメタノール燃料を供給するためのパイプ８５ａ・８５ｂが設けられている。尚、パイプ８５ａ・８５ｂを枠部分７５内又は枠部分７５の外面に設けることも可能である。また、燃料電池本体は第１の底板７７ａおよび／又は第２の底板７７ｂに設置しても良い。また、図４においては、コの字状の枠部分７５の上面に燃料電池本体８７を設けたが、枠部７５の下面側に設けても良い。もちろん、燃料タンクの数は１つでも良いし、３以上でも良い。燃料タンクをコの字状の枠部分７５の上部に設けても良い。
【００２３】
以上、本実施の形態による燃料電池搭載ＦＤＰ装置においては、燃料タンクを表示部に、燃料電池本体を表示部を下方から支える枠部に設けた構成を有している。従って、メタノール燃料の重心が燃料電池本体よりも常に上方にあり、メタノール燃料を燃料電池本体に対して安定して供給することができる。
【００２４】
次に、本発明の第４の実施の形態による燃料電池搭載ＦＤＰ装置について図面を参照しつつ説明を行う。図５は、本実施の形態による燃料電池搭載ＦＤＰ装置Ｄの構成例を示す図である。図５に示すように、本実施の形態による燃料電池搭載ＦＤＰ装置Ｄは、つり下げ型である。すなわち、表示画面９３を有する表示装置９１の上方に取り付け部９５が設けられており、この取り付け部９５を例えば天井又は壁に取り付ける構成を有している。取り付け部９５と表示装置９１との間には、接続部１０４が設けられており、つり下げ状態において取り付け部９５と表示装置９１との間隔をある長さに保つことができる。さらに、表示部９１には、燃料電池本体１０３が取り付けられており、燃料電池本体１０３から装置に電力が供給される。
【００２５】
一方、取り付け部９５には、例えば第１及び第２の燃料タンク９７ａ、９７ｂが設けられており、これらの燃料タンク９７ａ・９７ｂから燃料電池本体１０３にメタノール燃料を供給するためのパイプ９２ａ・９２ｂが設けられている。本実施の形態による燃料電池搭載ＦＤＰ装置Ｄにおいても、燃料タンク内のメタノール燃料の重心が燃料電池本体の重心よりも使用状態において上方にあるため、燃料電池本体に対して安定した燃料供給が可能である。尚、表示部９１に傾き検出機構９９を設けており、地震などにより生じる傾きを検出すると、図示しない燃料供給停止弁が作動しメタノール燃料の供給を停止するようにすることができる。これにより、災害時における安全性を高めることができる。
【００２６】
図６は、本実施の形態の変形例による燃料電池搭載ＦＤＰ装置の構成例を示す図である。図６に示すように、本変形例による燃料電池搭載ＦＤＰ装置Ｅは、取り付け部１０５内に少なくとも１つの燃料タンク１０８を設けており、この燃料タンク１０８から接続部１１３の側部に設けられた燃料パイプ１１１を介して燃料電池本体１１７に対してメタノール燃料を供給する構成を有している。燃料電池本体１１７の近傍において燃料パイプ１１１は２又に分かれており（符号１１５ａ・１１５ｂ）、バランス良く燃料を電極（図１の電極３ａ）に供給することができる。また、燃料パイプ１１１を接続部１１３に固定することで、振動などに起因する燃料パイプの揺れなどを防止することができる。
【００２７】
次に、本発明の第５の実施の形態による燃料電池搭載ＦＤＰ装置について図面を参照しつつ説明を行う。図７は、本実施の形態による燃料電池搭載ＦＤＰ装置Ｆの構成例を示す図である。図７に示すように、本実施の形態による燃料電池搭載ＦＤＰ装置Ｆは、液晶テレビであり、ＬＣＤ表示画面１２３を有する表示部１２１の下方に、左右両側にへの字型に開いた幅広の置き台１２５がスタンド１２７を介して設けられている。燃料タンクは表示部１２１の裏面側に、例えば２つの燃料タンク１２７ａ、１２７ｂが設けられている。一方、燃料電池本体は、幅広の置き台１２５のほぼ内部全体にわたって設けられており、図１に示す電極３ａ、３ｅ面を広くとることができる。従って、大きな電力を得ることができ、ＬＣＤ表示画面１２３の大画面化に対応できる。この際、大画面化が進むほど、大きな電力が必要となるとともに、置き台の幅も大きくとることでバランスを保つ必要がある。従って、燃料電池本体を、置き台１２５のほぼ内部全体にわたって設けられて設ける構造において、置き台１２５の幅を画面サイズに応じて変更することで、画面サイズに合わせた電力を得ることができるという利点がある。尚、置き台１２５は、有る程度の剛性が得られれば、内部構造は問わないため、置き台自体を実質的に燃料電池本体にすることで、効率的な装置設計が可能となる。
【００２８】
次に、本実施の形態の第１変形例による燃料電池搭載ＦＤＰ装置について図８を参照して説明する。図８に示す構造が図７に示す構造と異なる点は、スタンドが前述のように伸縮可能な構造になっている点である。すなわち。径の異なる、第１のスタンド部１４５と第２のスタンド部１４９とが接続部１４７において嵌合可能になっており、かつ、重なり部分の大小によりスタンド部全体としての長さが変更可能な構造となっている。このような構造において、燃料タンク１５３ａ、１５３からスタンド部１４５・１４９の内部に形成されている空洞に、第１の燃料タンク１５３ａからのメタノール燃料を燃料電池本体１５７に供給する第１のパイプ１５５ａと第２の燃料タンク１５３ｂからのメタノール燃料を燃料電池本体１５７に供給する第２のパイプ１５５ｂとがそれぞれ設けられている。このパイプ１５５ａ・１５５ｂも、接続部においてメタノールが漏れないようなシールドを設けた以外はスタンド部と同様の嵌合構造を有している。或いは、例えば図２Ｂと同様の構造を有しており、スタンド部の伸び縮みに応じて自身も伸び縮する構造を有している。尚、スタンドの接続部１４７に例えば蛇腹のようなシールド構造を設けることで、スタンドの空洞自体を燃料供給のための通路として用いることもできる。
【００２９】
次に、本実施の形態の第２変形例による燃料電池搭載ＦＤＰ装置について図９（Ａ）、（Ｂ）を参照して説明する。図９（Ａ）、（Ｂ）に示す構造が図７に示す構造と異なる点は、スタンドが前述のように伸縮可能な構造になっている点である。図９（Ａ）は正面図であり、図９（Ｂ）は側面図であって、燃料電池のみを取り出した構成を示す図である。図９（Ｂ）に示すように、燃料電池１７０は、燃料電池本体１７５と、燃料タンク１７１と、が一体化しており、これらの燃料電池１７０をＦＤＰ装置Ｇから取り外すことができるようになっている。すなわち、置き台１６５に形成されている収容部１６５ａに装置の背面側から燃料電池本体１７５の一部又は全部を挿入することができるように構成されている。挿入した状態で、燃料電池１７０からＦＤＰ装置Ｇに電力が供給されるようになっている。図示しない第２の電源が設けられているのが好ましい。
【００３０】
本実施の形態による燃料電池搭載ＦＤＰ装置によれば、燃料電池１７０を本体から着脱可能とし、燃料の入れ替え、補充などのメンテナンスが行いやすいようにすることができる。さらに、燃料電池１７０を本体からはずした際には、自動的に、別途設けられている第２の電源により電力を供給するようにすれば、番組の視聴を継続することができる。
【００３１】
次に、本発明の第６の実施の形態による燃料電池搭載型電子機器について図面を参照しつつ説明を行う。図１０に示す電子機器は、例えばノート型のパーソナルコンピュータ（ＰＣ）である。図１０に示すように、本実施の形態による燃料電池搭載ＰＣ（Ｈ）は、ノートＰＣ本体１７５と、液晶表示部１７３を有し本体部１７５に対して回動可能に取り付けられている蓋部１７１と、を有している。ノートＰＣ本体部１７５は、燃料電池本体部１８７を有しており、一方、蓋部１７１には燃料タンク１８１が設けられている。蓋部１７１と燃料電池本体部１８７との間には、フレキシブルな燃料パイプ１８５が設けられている。このノートＰＣを使用する場合に、蓋部１７１を回動させてノートＰＣ本体部１７５から起こすと、表示部１７３が見えるようになる。この状態で、燃料タンク１８１内に蓄積されているメタノール燃料の重心は、燃料電池本体部１８７（より詳細には、燃料注入口）よりも高い位置にあるため、燃料が安定して供給される。尚、蓋部を閉じると、図示しない燃料供給シャット弁が閉じて、燃料供給が停止され、電源ＳＷ１７７を入れるとシャット弁が開くようにすれば、電源ＳＷ１７７を入れて蓋部１７１を引き起こすと、燃料が燃料電池本体部１８７に供給され、ＰＣの動作が可能になる。一般的に、メタノール燃料の重心が、燃料電池本体部１８７の重心よりも低い位置でＰＣを使用することはないため、ＰＣを使用している状態において安定した燃料供給が可能である。
【００３２】
次に、本発明の第７の実施の形態による燃料電池搭載型携帯端末について図面を参照しつつ説明を行う。図１１（Ａ）、（Ｂ）に示す携帯端末は、例えばＰＤＡ又は携帯電話機である。その具体的な構造は周知であるが、図１１（Ａ）に携帯電話機の簡単な概観図を、図１１（Ｂ）に携帯電話機における燃料電池の配置について示す。図１１（Ａ），（Ｂ）に示すように、本実施の形態による携帯端末Ｉは、本体部２０１とアンテナ２０３とを有しており、本体部２０１にＬＣＤ表示部２０５と操作部（入力部）２０７が設けられている。図１１（Ｂ）に示すように、携帯電話機Ｉの本体部２０１の内部に、装置の長さ方向（延在方向）中央部に燃料電池本体部２１１が設けられるとともに、燃料電池本体部２１１から異なる少なくとも２方向にある距離だけ離されて配置される第１の燃料タンク２１５ａ及び第２の燃料タンク２１５ｂと、それぞれに対して燃料電池本体部２１１から延びる燃料供給パイプ２１７ａ、２１７ｂが設けられている。
【００３３】
上記携帯電話機Ｉにおいては、携帯電話機Ｉがどのような位置に置かれていても、燃料タンク２１５ａ・２１５ｂのうちの少なくともいずれか一方の燃料タンクは、燃料電池本体部２１１よりも重心が鉛直方向の上方にあるため、図示しないシャット弁が閉じていない限り、燃料の供給が安定して行われるという利点がある。
【００３４】
以上に説明したように、本実施の形態による燃料電池搭載型電子機器においては、燃料容器を燃料電池本体より上方に設置することにより、重力を利用して燃料を本体に供給できる。従って、ある程度高い出力が要求される燃料電池でも、ポンプを不要とし、或いは出力の小さなポンプで良く、構造が簡単になるという利点がある。さらに、ポンプに起因する騒音の発生を防止又は抑えることができる。さらに、装置の傾きを検出してシャット弁により燃料供給を停止する構成により、電子機器が何らかの原因で傾いたり衝撃を受けたりした場合でも、燃料が漏れ出すことを防止でき、安全性を確保することができる。さらに、燃料タンクと燃料電池本体との位置関係を保持すれな、どのようなタイプの表示装置にも適用できるため、装置設計の際の標準化が可能となる。
【図面の簡単な説明】
【００３５】
【図１】本発明の第１の実施の形態による燃料電池搭載ＦＤＰ装置に用いられる燃料電池の一構成例を示す図である。
【図２Ａ】本発明の実施の形態による燃料電池搭載ＦＤＰ装置の一構成例を示す図である。
【図２Ｂ】本実施の形態の第１変形例による燃料電池搭載ＦＤＰ装置における図２Ａとの相違点を示す図である。
【図２Ｃ】本発明の第２変形例による燃料電池搭載ＦＤＰ装置の一構成例を示す図である。
【図３】本発明の第２の実施の形態による燃料電池搭載ＦＤＰ装置の構成例を示す図である。
【図４】本発明の第３の実施の形態による燃料電池搭載ＦＤＰ装置の構成例を示す図である。
【図５】本発明の第４の実施の形態による燃料電池搭載ＦＤＰ装置Ｄの構成例を示す図である。
【図６】本実施の形態の変形例による燃料電池搭載ＦＤＰ装置の構成例を示す図である。
【図７】本発明の第５の実施の形態による燃料電池搭載ＦＤＰ装置の構成例を示す図である。
【図８】本実施の形態の第１変形例による燃料電池搭載ＦＤＰ装置を示す図である。
【図９】本実施の形態の第２変形例による燃料電池搭載ＦＤＰ装置であって、スタンドが伸縮可能な構造になっている構成例を示す図である。
【図１０】本発明の第６の実施の形態による燃料電池搭載型電子機器の構成例を示す図である。
【図１１】本発明の第７の実施の形態による燃料電池搭載型携帯端末の構成例を示す図である。
【符号の説明】
【００３６】
１…燃料電池、３…電池本体部、５…燃料タンク、３１…置き台、３３…スタンド、３５…表示部、３７…ＬＣＤ表示画面、４５…パイプ。
【図１】
2006189555.tif 000003
【図２Ａ】
2006189555.tif 000004
【図２Ｂ】
2006189555.tif 000005
【図２Ｃ】
2006189555.tif 000006
【図３】
2006189555.tif 000007
【図４】
2006189555.tif 000008
【図５】
2006189555.tif 000009
【図６】
2006189555.tif 000010
【図７】
2006189555.tif 000011
【図８】
2006189555.tif 000012
【図９】
2006189555.tif 000013
【図１０】
2006189555.tif 000014
【図１１】
2006189555.tif 000015